(57)【要約】  無線基地局内のプリント回路基板（１２０６）上の部品を遮蔽する装置。その回路基板は、第１回路区画（１８０１）および第２回路区画（１８０２）、およびその第１回路区画とその第２回路区画との間の回路基板上に配置された導電境界部（１２０７）を備える。導電シールドカバー（１２０８）は、少なくとも第１回路区画の上に取り付けでき、カバーの壁（１５０１）の終端は中間導電ガスケット（１５０４）を使用して境界部に接続される。カバーは、受け領域（１８０７）に押し当てられるように考案された間隔形成要素（１８０６）を備え、この間隔形成要素は、間隔形成要素の受け領域への押し当てによって、壁終端と境界部との間に、中間導電ガスケットが許容する最大圧縮を規定する間隙（１８０８）を残すように寸法づけられている。
2008506252.tif 000002
【特許請求の範囲】
【請求項１】
無線基地局内のプリント回路基板上の部品を遮蔽する装置であって、
ここで、前記回路基板は第１回路区画および第２回路区画、および前記第１回路区画と前記第２回路区画との間の前記回路基板上に配置された導電性の境界部を備える；
少なくとも前記第１回路区画の上に取り付けできる導電性のシールドカバーを備え、
前記カバーの壁終端は導電性の中間の導電性ガスケットを介して前記境界部に接続され、
前記カバーは、受け領域に押し当てられる間隔形成要素を備え、
前記間隔形成要素の寸法は、
前記間隔形成要素の受け領域への押し当てによって、前記壁終端と前記境界部との間に、前記中間の導電性ガスケットが許容する最大圧縮を規定するための間隙が残るように設定されている
ことを特徴とする装置。
【請求項２】
前記受け領域は、前記回路基板上に配置されることを特徴とする請求項１に記載の装置。
【請求項３】
前記受け領域は前記境界部と同一平面であり、前記間隔形成要素は前記壁終端により規定される平面より、前記間隙に相当する長さだけ突き出ていることを特徴とする請求項１または２に記載の装置。
【請求項４】
前記受け領域は、前記回路基板用の支持部材の上に配置されることを特徴とする請求項１に記載の装置。
【請求項５】
前記回路基板に前記カバーを取り付ける締め付け手段を備え、前記締め付け手段は、前記間隔形成要素および前記受け領域を部分的に貫通することを特徴とする請求項１乃至４のいずれか１項に記載の装置。
【請求項６】
前記間隙は０．１乃至２ｍｍの範囲の幅を有することを特徴とする請求項１乃至５のいずれか１項に記載の装置。
【請求項７】
前記カバーは、少なくとも２つの遮蔽区画の境界を定める複数の壁を備えることを特徴とする請求項１乃至６のいずれか１項に記載の装置。
【請求項８】
前記ガスケットは、前記壁終端に配置される紐状の弾力性のある導電性化合物で形成されることを特徴とする請求項１乃至７のいずれか１項に記載の装置。
【発明の詳細な説明】
【技術分野】
【０００１】
本発明は、回路基板上の鋭敏な部品を、電磁シールド内に包み込むことにより、そのような部品を遮蔽する装置に関する。特に本発明は、第３世代（３Ｇ）移動体通信システム用の小型基地局内の敏感な部品を遮蔽する装置に関する。
【背景技術】
【０００２】
アナログＡＭＰＳ(Advanced Mobile Phone System)およびＮＭＴ(Nordic Mobile Telephone) などのシステムが特徴である初期のアナログシステムから、携帯電話業界は、過去数十年間に世界中で大きな発展を遂げた。ここ数年間は、一般に第２世代移動体通信システムと呼ばれるＤ−ＡＭＰＳ（例えば、ＥＩＡ／ＴＩＡ−ＩＳ−５４−ＢおよびＩＳ−１３６で規定されている）およびＧＳＭ(Global System for Mobile Communications)などのセルラー方式無線ネットワークシステムに関するデジタルソリューション標準にほぼまったく集中して開発が行われた。
【０００３】
現在は、携帯電話技術は、３Ｇとも称される第３世代に入りつつある。ＷＣＤＭＡ（Wideband Code Division Multiple Access）は、新しいＩＭＴ−２０００周波数帯で群を抜いて最も広く採用されている３Ｇエアインターフェース技術である。３ＧＰＰ（第３世代パートナーシップ・プロジェクト）およびＩＴＵ（International Telecommunications Union）により標準化され、ＷＣＤＭＡは、無線通信業界内で広く受入れられた。２００５年までに、世界で１００近くのＷＣＤＭＡネットワークが運用されると予想されている。
【０００４】
ＷＣＤＭＡは、当初から、最新の携帯マルチメディア・アプリケーションおよび従来の移動音声サービスの両方に対して費用効率の高い収容能力を提供するように企画された。その技術の主要な利点の１つは、無線ベアラを効率的且つ柔軟に利用できることであり、ネットワーク収容能力を、同じキャリア内の音声とデータとの間で自由に割り当てることができる点である。ＷＣＤＭＡは、複数の同時サービスとマルチメディアサービスの両方とも提供し、マルチメディアサービスはスループット、転送遅延、ビットエラー率の点でサービス品質要件の異なる複数の構成要素を備える。
【０００５】
ＷＣＤＭＡでは、ユーザデータは約５ＭＨｚの帯域幅にわたって散らばる。広い帯域幅は、高速ユーザデータ転送速度を可能にし、周波数ダイバーシティに起因する性能上の利点も提供する。しかし、システムのユーザが使用できるだろう正確なデータ伝送速度は、たやすくは予測できない。携帯電話ネットワークの実際の容量は、気象条件、共通の基地局を通して現在通信しているユーザ数、そして最も大事なことはユーザ携帯端末と基地局アンテナとの間の距離などの、相当数の要因により影響を受ける。ＷＣＤＭＡの専門用語では、無線基地局をノードＢと呼ぶ。
【０００６】
無線基地局は、敏感な電子回路を収容していて、その電子回路の中には電磁シールドを必要とするものがある。この課題は、先行技術で解決の対象とされており、例えばＤｅｎｚｅｎｅ他による米国２００１／０００４３１６Ａ１がある。その文書は、回路基板に接触して配置される少なくとも１つの入出用の穴を含む電磁シールドを開示しており、それによって区画を実質上包み込む。回路基板は、回路基板を区画に分けるグラウンド・トレースを含んでもよい。シールドと回路基板との間に良好な電気的接触をもたらすため、オプションで電導性のガスケットが、グラウンド・トレースとシールドとの間に使用されてもよい。ガスケットは、例えば金または銅を混ぜたシリコンにより提供されてもよい。
【発明の開示】
【発明が解決しようとする課題】
【０００７】
電磁シールドを満足できるように密閉するには、シールドと回路基板とを仲介するガスケットを十分に圧縮できることが重要である。回路基板にシールドをボルト締めする力が強すぎる場合、ガスケットが損傷を受け、無線の漏洩につながりかねない。他方、回路基板にシールドが十分な力でボルト締めされていない場合、組み立ての堅固さが失われ、それもシールドの緩みとその結果生じる無線漏洩につながりかねない。それ故、本発明の全般的な目的は、中間電導ガスケットを使用し、無線基地局の電磁シールドに関する課題に解決策を提供することである。
【課題を解決するための手段】
【０００８】
本発明によれば、この目的を実現する装置は、無線基地局内のプリント回路基板上の部品を遮蔽する装置であって、前記回路基板は第１回路区画および第２回路区画、および前記第１回路区画と前記第２回路区画との間の前記回路基板上に配置された導電性の境界部を備える。そして、この装置は、少なくとも前記第１回路区画の上に取り付けできる導電性のシールドカバーを備え、
前記カバーの壁終端は導電性の中間の導電性ガスケットを介して前記境界部に接続され、
前記カバーは、受け領域に押し当てられる間隔形成要素を備え、
前記間隔形成要素の寸法は、
前記間隔形成要素の受け領域への押し当てによって、前記壁終端と前記境界部との間に、前記中間の導電性ガスケットが許容する最大圧縮を規定するための間隙が残るように設定されている。
【０００９】
１つの実施形態においては、前記受け領域は、前記回路基板上に配置される。
【００１０】
１つの実施形態においては、前記受け領域は前記境界部と同一平面であり、前記間隔形成要素は前記壁終端により規定される平面より、前記間隙に相当する長さだけ突き出ている。
【００１１】
１つの実施形態においては、前記受け領域は、前記回路基板用の支持部材の上に配置される。
【００１２】
１つの実施形態においては、前記回路基板に前記カバーを取り付ける締め付け手段を備え、前記締め付け手段は、前記間隔形成要素および前記受け領域を部分的に貫通する。
【００１３】
１つの実施形態においては、前記間隙は０．１乃至２ｍｍの範囲の幅を有する。
【００１４】
１つの実施形態においては、前記カバーは、少なくとも２つの遮蔽区画の境界を定める複数の壁を備える。
【００１５】
１つの実施形態においては、前記ガスケットは、前記壁終端に配置される紐状の弾力性のある導電性化合物で形成される。
【００１６】
本発明の特徴と利点は、添付図面を参照した、以下の好ましい実施形態の記述から、更に明らかになるであろう。
【発明を実施するための最良の形態】
【００１７】
本発明の実施形態は、サービスエリアを広げ収容能力を増大するために屋内環境での使用を対象とした、電気通信ネットワークの基地局に関する。
【００１８】
図１は、電気通信システムのＲＡＮ（無線アクセス・ネットワーク）を例示し、そのネットワークには、ピコノードＢ１００とも呼ばれる本発明による基地局１００が含まれる。図の左側に示されるように、ピコノードＢ１００は、一般的なネットワーク内の無線基地局であるノードＢの複数ある中の１局の機能を果たすように考案されている。その複数の基地局には、インドア・マクロノードＢ、アウトドア・マクロノードＢ、およびマイクロノードＢを含んでもよい。基地局１００を含むノードＢは、無線通信端末１０１と無線通信するように考案されている。ノードＢは、Ｉｕｂインターフェースを通じてＲＮＣ（無線ネットワーク制御装置）に接続している。Ｉｕｂは３ＧＰＰによるノードＢとＲＮＣを結ぶインターフェースである。ＲＮＣは、順にＣＲ（コアネットワーク）に接続している。ＬＭＴ（ローカル管理ツール、Local Management Tool）も、ピコノードＢに結合していてもよい。ＮＮＭ（ノードＢネットワークマネージャ、Node B Network Manager）が、ＲＮＣを通してピコノードＢ１００に遠隔から接続でき、監視、ソフトウェアのアップグレードおよびアラーム対応のような運用保守機能を提供する。広範囲にわたる内部ハードウェアおよびソフトウェアの監視は、ピコノードＢ１００の機能の一部である。遠隔命令によるセルフテスト能力も含まれている。
【００１９】
本発明によれば、ピコノードＢ１００は、完全な３ＧＰＰ／ＦＤＤのノードＢである。ピコノードＢ１００は、無線ネットワーク内の他のノードＢと一緒にソフトハンドオーバを行い、１キャリアおよび１セクタを利用可能にする。ピコノードＢ１００は、屋内での使用に最適化されており、そのように設計されている、すなわち、限られたサービスエリア内の多数の屋内ユーザにサービスを提供できるように、低出力で大きい収容能力がある。前述のようにピコノードＢ１００は、Ｉｕｂインターフェースを使用するシステムであるＵＴＲＡＮ（ＵＭＴＳ地上無線アクセス網、UMTS Terrestrial Radio Access Network）などのＲＡＮに接続する。受信ダイバーシティが、内部アンテナまたは外部アンテナのどちらかと一緒に使用される。ピコノードＢ１００は複式フィルタを含み、外部アンテナを使用するときには外部複式フィルタは必要ない。
【００２０】
図２は、本発明による基地局ピコノードＢ１００のモジュール概念を図解する。ピコノードＢ１００のモジュール概念では、ノードＢ部（ＮＢＵ）４０２が主要基本構築部品である。支持部４０１が、ＮＢＵ４０２および様々な規格の電源装置の取り付けフレームの役割を果たす。支持部は、他の外部ユニットを収容するようにカスタマイズすることもできる。内部アンテナは、現場設置用の個別の部品を用意するために、オプションで概念に含まれており、ＮＢＵ４０２に直接取り付けでき、電気的に接続できる。代わりに外部アンテナを使用して構成されるときは、多種多様なアンテナを接続できる。アンテナの選択は、固有の設置環境に依存する。扱いやすい指向性または全方向性の標準アンテナが、一般的に使用される。分散アンテナシステムも、ピコノードＢ１００と一緒に使用できる。
【００２１】
図４は、ピコノードＢ１００の例示的実施形態のモジュール式組み立て部品を図解する。この標準構成では、ピコノードＢ１００は、ノードＢ部４０２、内部アンテナ４０３、ＡＣ／ＤＣコンバータおよび内部ケーブルを有する電源部３０３を含む支持部４０１、および主カバー４０４を備える。図５では、ピコノードＢ１００は全部そろった基地局に組み立てられている。組み立て手順および設置手順の好ましい実施形態を、以下に記述する。
【００２２】
ノードＢ部４０２は、ただ１つのハードウェアユニットの中にすべての機能ブロックを備える、完全な３ＧＰＰ／ＦＤＤ（周波数分割多重、Frequency Division Duplex）ノードＢ機能を有する。ノードＢ部４０２の機能ブロックの概観が、図１０に図解されている。ノードＢ部４０２の好ましい実施形態は、次の機能要素を備える。
・伝送インターフェース・ブロック：
このブロックは、物理レイヤ、ならびにＡＴＭ（非同期転送モード）プロトコル、ＩＰ（インターネットパケット）およびＵＭＴＳプロトコル、ならびにＲＮＣへのＩｕｂインターフェースを扱う。
・制御処理ブロック：
このブロックは、ＮＢＡＰ（ノードＢアプリケーション部プロトコル、Node B Application Part Protocol）、運用保守機能、呼制御およびクロック基準同期を扱う。
・ベースバンド処理ブロック：
このブロックは、トランスポートチャネル、物理チャネルおよびエアインターフェース（レイヤ１）を扱う。
・ＲＦブロック：
このブロックは、送受信機機能、すなわちチャネルフィルタ、アナログ・デジタル変換およびデジタル・アナログ変換、送信機および受信機の周波数変換、送信電力増幅部および受信用低雑音増幅部、ならびにＲＦフィルタリングを扱う。
【００２３】
ピコノードＢ１００は、簡単で迅速な設置を意図して設計された。図４に戻って、完全なピコノードＢ１００の現場設置は、支持部４０１（ＡＣ／ＤＣ部および支持カバーを含む）、ノードＢ部（ＮＢＵ）４０２、内部アンテナ４０３（オプション）および主カバー４０４を備える。さらに、伝送ケーブルおよび電力ケーブルが含まれる必要があるが、図４には示されていない。
【００２４】
ピコノードＢ１００の現場設置の第１部分は、機械的据え付けおよび外部ケーブルの接続であり、この部分は主に支持部に関する。ノードＢ部４０２は後の段階、例えばピコノードＢ１００の使用開始時に現場に持ち込むことができる。ＡＣ／ＤＣ部を含む支持部は、選定場所に据え付けられる。標準設置は壁据え付けである。しかし、天井および柱に据え付けるための設置キットもありうる。完全な設置には、収容能力に対する要求にもよるが、電力ケーブルＡＣ１００Ｖ、伝送ケーブル、好ましくはＲＪ４５コネクタ付きのツイストペアケーブル１、２本を必要とする。外部アンテナが使用される場合、ＳＭＡコネクタ付きのＲＦケーブルも含まれてもよい。
【００２５】
図３Ａ、３Ｂは、支持部４０１を図解しており、その支持部４０１はＡＣ／ＤＣコンバータなどの外部ユニットの収容に加えて、ノードＢ部４０２に対する取り付けフレームの役割を果たすだろう。本発明によるピコノードＢ１００の好ましい実施形態は、電源電圧ＡＣ１００〜２４０Ｖ＋／−１０％、５０／６０Ｈｚを利用し、最大消費電力は１００Ｗ未満である。標準規格の支持部４０１は、垂直の壁設置に使用され、例えば、ねじ３０２、ボルト、釘または同様のものを用いて、壁に取り付けるように考案された平らな主部を有する平板部材３０１を備える。平板部材３０１はさらに、側壁部材３０６を含み、図に示すように、主部から直角に延びている。ＡＣ／ＤＣコンバータ３０３は、側壁部材３０６に隣接して、平板部材３０１の主部に取り付けられる。電力ケーブル３０４は、そのもの自体は支持部４０１の一部を構成しないで、下からコンバータ３０３に接続される。１つの実施形態では、支持部４０１のＡＣ／ＤＣ部３０３用の区画を仕切る第２の側壁を定めて、追加の壁面部材を含んでもよい。支持カバー３０５は、電源装置３０３を覆うために使用され、アルミニウム部品が好ましい。図３Ｂは、そのカバー３０５と一緒に組み立てられたときの支持部４０１を図解する。外部電力線が、支持部内のＡＣ／ＤＣ部に接続される。これは、固定配線または壁面のコンセントに接続するプラグ付きケーブルを使用する接続のどちらかでよい。
【００２６】
支持部４０１へのノードＢ部（ＮＢＵ）４０２の搭載は、図６〜９に図解されるように実施されるのが好ましい。支持部４０１は、側面図が図６に示されており、例えば側壁部材３０６に作られた陥凹部６０１の形で、支持部の上部に掛けかぎ手段を備える。その陥凹部は上に開いている。ＮＢＵ４０２は、側面図が図７に示されており、ＮＢＵ４０２の上部に、横方向への突き出しピン７０１の形が好ましい、対をなす掛けかぎ手段７０１を備えることが、その図に示されている。図４も参照のこと。ＮＢＵ４０２は、図８に図解されているように、支持部４０１に対してＮＢＵ４０２を斜めに持ちながら、陥凹部６０１に突き出しピン７０１が止まるように置くことにより、先ず支持部４０１にかみ合わせるように設計されている。このためには、図４にも図解されている取っ手７０２は、特に都合が好い。次いでＮＢＵ４０２は、ピン７０１により規定される回転軸の回りを、図９に図解されるように、支持部４０１上の掛け金手段６０２が、ＮＢＵ４０２の対をなす掛け金手段７０３にパチンとかみ合うまで回転される。１つの実施形態では、それらの掛け金手段は、支持部４０１の側壁部材３０６の外側から得られる。別の実施形態では、盗難または不当操作を防ぐため、支持部４０１からＮＢＵ４０２を外すのに特殊工具を必要とする。記述された掛けかぎ手段の種類は純粋に例示であることは、明白なはずである。代わりの実施形態は、支持部４０１の上部の端またはピンに掛けられるように考案された、ＮＢＵ４０２から後方に突き出たフックを備える。回転機能は、その解決策でも達成されるだろう。
【００２７】
内部アンテナ４０３は、ＮＢＵ４０２に直接取り付けてもよいが、ねじを用いて機械的に取り付けるほうが好ましい。１本または複数本の伝送ケーブルが、ＮＢＵ４０２のアンテナコネクタ１１０１、１１０２にアンテナ４０３を接続するために取り付けられるのが好ましい。図１１参照のこと。代わりに外部アンテナが使用される場合、１つまたは複数の外部アンテナおよび同軸ケーブルが取り付けられ、その同軸ケーブルは、ノードＢ部４０２の１１０１、１１０２に直接接続されるＳＭＡコネクタで終端される。最後に、カバー４０４が取り付けられる。第１部、すなわち機械的現場設置がこれで完了する。
【００２８】
ノードＢ部４０２は、図１１による外部インターフェースを有することが好ましい。その図を参照して、ＮＢＵインターフェースの１つの実施形態は以下を備える。
−  伝送インターフェース（Ｉｕｂ）；この特定の場合は、これはツイストペアケーブルを媒体とするＪ１×２（ＩＭＡ）であり、伝送プロトコルとしてＡＴＭを使用する。各伝送ラインに対して伝送接続ＬＥＤ表示（黄色）もある。ケーブルコネクタ１１０５、１１０６は、ネットワーク接続用に含まれる。
−  アンテナ（ＲＦ）インターフェース；これは、それぞれ受信Ａ／送信および受信Ｂ用の２つのアンテナポート１１０１、１１０２を有する。複式フィルタ１１０３および帯域通過フィルタ１１０４は、ノードＢ部４０２に含まれる。受信Ａおよび受信Ｂは、受信ダイバーシティ・ブランチＡそれぞれの受信ダイバーシティＢである。
−  電源インターフェース；このインターフェースは、使用される現場の状況にもよるが、ＡＣ／ＤＣコンバータに固定接続してノードＢの内部にある。ノードＢ部４０２の内部入力は、ＤＣ＋１２Ｖであり、外部電源はＡＣ１００〜２４０Ｖ（ＡＣ／ＤＣコンバータの入力電圧）である。
−  ローカルＯ＆Ｍ／デバッグ・インターフェース；これはイーサネット(登録商標)プロトコル標準に適合する。ローカル管理ツール（ＬＭＴ）はこのインターフェースに接続される。ローカルＯ＆Ｍ接続ＬＥＤ表示（黄色）もある。
−  ＬＥＤ表示（ＭＭＩ）インターフェース；電源オンのＬＥＤ表示（緑）および内部故障状態ＬＥＤ表示（赤）に使用される。
−  外部警報インターフェース；オペレータが定義し構成できる２つの外部警報入力を利用可能にする。
【００２９】
ピコノードＢ１００をできるだけ小型軽量化するため、ＮＢＵ４０２の設計では特別の機構が用いられている。これについては、図１２〜１７に図解されている。
【００３０】
図１２では、ＮＢＵ４０２の主要基本構築部品３つが図解されている。ＮＢＵ４０２は、背面板１２０１および突き出しピン１２０３（７０１に相当）を備え、その背面板１２０１は、一体化した部材または取り付け部材でできた取っ手１２０２（７０２に相当）を含む。背面版１２０１は、回路基板１２０６用の支持部材であり、その回路基板１２０６は、背面版１２０１の手前側１２０４に、好ましくは、ねじ、リベット、接着剤または同様のものを用いて取り付けられる。背面版１２０１は、アルミニウムなどの金属で作られるのが好ましい。背面版１２０１の裏側１２０５はさらに、図１２には示されていないが、冷却フランジを有するように構成されるのが好ましい。ＮＢＵ４０２はさらに、前面板１２０８を含み、その前面板１２０８は、図１２に示されるように回路基板１２０６の上に取り付けられる。前面板１２０８は、背面版１２０１にねじを用いて取り付けられるのが好ましい。前面板１２０８は、その正面にオプションの内部アンテナとの機械的インターフェース１２０９を備える。代わりの実施形態では、支持板の上からＮＢＵ４０２を吊るすように考案された突き出しピン１２０３は、背面板１２０１の代わりに、前面板１２０８に取り付けられてもよい。
【００３１】
本発明のこの好ましい実施形態によれば、制御処理ブロック、ベースバンド処理ブロックおよびＲＦブロック（図１０参照）に対応するＮＢＵ４０２の全回路は、同じ１つの回路基板１２０６の上に配置される。図１３、１４では、回路基板１２０６が再び示されているが、両方の図の縮尺は同じである。図１３は、回路基板１２０６の物理構造を図解するのに対して、図１４は、機能レイアウトを図解する。図１０とそれに関連する記述、および図１４を参照して、回路基板１２０６は、ＲＦブロック１４０１、ベースバンド処理ブロック１４０２、および制御処理ブロック１４０４用の電子回路を備える。ブロック１４０１、１４０２、１４０４の様々な機能要素は、直流電圧を供給する電源部３０３を通じて電力を供給される。しかし、様々なレベルの電圧が様々な機能要素から必要とされ、様々なレベルの精度も必要とされる。このために、内部ＤＣ／ＤＣブロック１４０３が、回路基板１２０６上に含まれる。それ故、ＤＣ／ＤＣブロック１４０３は、電源部３０３から電力供給され、ＮＢＵ４０２の機能要素に適合したレベルの電圧で電力を供給する。回路基板１２０６はさらに、インターフェース１４０５、すなわち図１１に示されるコネクタおよびダイオードを収容する。図１１は、図１４のインターフェース１４０５と比べて左右が鏡像のように反転している。インターフェース１４０５は、回路基板１２０６の下部からアクセスできるのが好ましい。図１２、１３にさらに図解されるように、電子回路の異なる部分、特にＲＦブロック１４０４の様々な部品は、中間境界部１２０７で互いに分離される。これらの境界部は、導電材料層例えば金属で形成され、以下に説明されるだろうように遮蔽素子とぴったり合うように考案されている。
【００３２】
好ましい実施形態では、伝送インターフェース・ブロック用の電子回路は、独立した回路基板１２１０上で提供され、その回路基板１２１０は、図１２に図解されるように回路基板１２０６に取り付けできる。１つの実施形態では、回路基板１２０６、１２１０上に対をなすピギーバック・コネクタ１２１１、１２１２がそれぞれあり、それらのコネクタは接続に使用される。独立した伝送インターフェース回路基板１２１０を有する利点は、ネットワークのＲＮＣとの接続に必要な様々な伝送種類にノードＢ１００を容易に適応させられることである。１つの実施形態では、伝送インターフェース回路基板１２１０は、Ｅ１種類の伝送用に考案されてもよく、別の実施形態ではＪ１伝送用に考案されてもよい。さらに、ツイストワイヤの代わりに光ファイバを媒体とするＳＴＭ−１種類の伝送用、さらには通常の電話回線を媒体とするＳＤＳＬ用の、特殊な伝送インターフェース回路基板１２１０を提供することも可能である。好ましい実施形態では、コネクタ１１０５、１１０６は、伝送インターフェース回路基板１２１０上に付けられる。
【００３３】
その結果として、独立した取り外し可能な伝送インターフェース回路基板１２１０を含むことにより、基地局１００に柔軟性を提供し、そのほかの点では、基地局１００は選択される伝送種類にかかわらずまったく同じでよい。このことは、製造の点では明白な利点である。
【００３４】
本発明の実施形態によれば、組立部品は、電子回路の冷却が自らの対流による冷却で達成されるように設計されている。ファンなどの可動機械部品の排除により、可動機械部品の磨耗による部品故障の恐れを都合よく減少する。それはまた、機械的磨耗を受け易いボールベアリングを有する冷却ファンなどの可動部品の状態監視および保守の必要を、都合よく減らすまたはなくす。したがって、冷却がもっぱら空気の対流だけで達成されるように組立部品を設計することにより、基地局の寿命を長くすることにつながり、基地局を運営する費用も減らす。
【００３５】
好ましい実施形態によれば、効率的な自らの対流冷却は、伝送インターフェースを除くすべての回路がただ１つの回路基板１２０６上に配置されていて、その回路基板１２０６は背面板１２０１に直接取り付けられていて、その背面板には冷却フランジが備えられている、ように組立部品を設計することにより達成される。自らの対流冷却は、冷却ファンなどの可動素子がまったくないため装置の雑音を都合よく除く。
【００３６】
図１５は、回路基板１２０６に面するように考案された前面板１２０８の背面図である。この図から明らかなように、前面板１２０８は、その裏面に分離壁のパターン１５０１を備える。その分離壁は、異なる個別の区画１５０２の境界を定め、そのパターンは、回路基板１２０６の境界部１２０７に対応する。前面板１２０８全体は、アルミニウムなどの金属板ただ１枚から作られるのが好ましい。前面板１２０８が回路基板１２０６の上に取り付けられるとき、分離壁１５０１の外側終端部が境界部１２０７とぴったり合い、それによって様々な区画１５０２に配置された回路を電気的に取り囲む。同時に、分離壁１５０１は、相対的に大きな回路基板１２０６に対して機械的に堅固な取り付けを支援する手段の役割を果たし、しっかりした組み立てを確実にする。好ましい実施形態では、図で具体的に示されていないが、ＮＢＵ４０２が組み立てられるとき、ＮＢＵ４０２内に回路基板１２０６を十分に取り囲むために、側壁の全体または少なくともへりの部分のどちらかで、前面板１２０８の外側の側壁が回路基板の側面端を覆う。
【００３７】
図１６は、本発明の実施形態によるＮＢＵ４０２の、下部から見た組み立て図である。背面板１２０１は、その裏側に形成された冷却フランジ１６０１を有して、図解されている。すなわち、ピコノードＢ１００基地局全体が組み立てられるとき、支持部４０１の平板部材３０１の平面主部に面するように考案された側である。冷却フランジは、代わりに前面板１２０８またはその両方の板１２０１、１２０８に形成されてもよいことも言及されるべきである。さらに、取っ手１２０２と突き出しピン１２０３も示されている。回路基板１２０６は、背面板１２０１と前面板１２０８との間に納められているので、見えない。しかし、ＮＢＵ４０２のインターフェース１４０５は、図１０の例示的実施形態でも図解されており、Ｉｕｂ、支持部の電源装置ならびに内部アンテナまたは外部アンテナへの接続のため、アクセス可能である。
【００３８】
図１７は、分離壁１５０１の一部を図解し、分離壁の終端部が図の下方を向いている。前の記述によれば、その終端部は、境界部１２０７に面して配置されるよう考案されている。この実施形態の態様によれば、閉ループが区画１５０２の周りの壁の終端部に形成されるように、Ｖ字形の切り込み１５０３が、壁に沿って全体に延びるように壁１５０１の終端部に形成されてもよい。紐状の弾力性のある導電材料１５０４が、導電性の境界部に面して確実にぴったりと合わさるように、Ｖ字形の切り込みに配置される。代わりの実施形態では、壁１５０１の終端部にＶ字形の切り込みは用意されず、その代わり実質的に平らであり、紐１５０４は壁のその実質的に平らな終端部に配置される。これらの実施形態の両方で、紐１５０４は壁終端部から少なくとも一部は突き出す。
【００３９】
図１８、１９は、本発明による無線基地局内のプリント回路基板上の部品を遮蔽する装置の１つの実施形態を図解する。これらの図は、図１２〜１６の図で示されたものに相当し、それ故、似かよった参照数字は似かよった要素に使用される。図１８は、第１回路区画１８０１および第２回路区画１８０２を含む、複数の回路区画１８０１〜１８０４を備える回路基板１２０６の側面図である。図１２、１３、１８に示されるように、導電境界部１２０７は、回路区画の間、特に第１回路区画１８０１と第２回路区画１８０２との間に配置される。前面板１２０８は、少なくとも第１回路区画１８０１の上、図の場合は全回路区画１８０１〜１８０４の上に取り付けできる、導電性のシールドカバーを形成する。シールドカバー１２０８は、回路基板１２０６の方に実質上直角に延びる壁１５０１、およびその壁に接続する天井部１８０５を含む。弾力性のある導電性ガスケット１５０４が、カバー１２０８の壁終端に配置される。カバー１２０８が回路基板１２０６に取り付けられるとき、ガスケット１５０４は、壁１５０１の終端と境界部１２０７とを仲介するように配置される。ガスケットは、金属を添加したシリコン材料、導電性高分子または例えば登録商標ｔｒｉｃｈｉｄのもとにスウェーデンのＮｏｌａｔｏ  ＡＢが供給する圧縮可能な材料から作られてもよい。
【００４０】
本発明によれば、カバー１２０８は、回路基板１２０６へのカバー１２０８の取り付けに対し機械的停止を定める、受け領域（distance reception area）に押し当てられる間隔形成要素（distance element）１８０６を備える。図１８、１９の実施形態では、その受け領域は１８０７は、回路基板１２０６の表面部分である。部品を遮蔽する構成は、間隔形成要素１８０６の受け領域１８０７への押し当てにより、壁１５０１の終端と境界部１２０７との間に、中間導電ガスケット１５０４が許容する最大圧縮を規定する間隙１８０８が残るように寸法を決められる。図１８からもわかるように、これは、その間隔形成要素１８０６が、壁１５０１の壁終端により規定される平面を超えて、カバー１２０８から所定の長さ延びるように、間隔形成要素１８０６を突き出すことにより達成される。この実施形態では、受け領域１８０７は回路基板１２０６上に配置され、前述の境界部１２０７と実質上同じ高さであり、間隔形成要素１８０６は間隙１８０８に相当する長さを突き出す。
【００４１】
図１９は、図１８と同じ装置で、回路基板１２０６にカバー１２０６が取り付けられた状態を図解する。回路基板１２０６は、背面板１２０１の手段によって提供される支持部材の上に置かれ、支持部材１２０１の上に表面と表面が接触して置かれるのが好ましい。回路基板１２０６にカバー１２０８を取り付ける締め付け手段は、ボルト１８０９の形で提供され、そのボルトはカバー１２０８から支持部材１２０１まで、又はその逆方向に達するようにする。ボルト１８０９は、カバー１２０８の周辺部に配置されてもよいが、取り付けを最適にするためには、ボルト１８０９は、カバー１２０８と回路基板１２０６とが向かい合う表面に分布するのが好ましい。図示の好ましい実施形態では、前述の締め付け手段１８０９は、間隔形成要素１８０６と受け領域１８０７の穴を部分的に貫通して、支持部材１２０１に達し、そこでねじのかみ合わせで取り付けできる。図１９から、間隔形成要素１８０６が受け領域１２０７と機械的停止まで押し当てたとき、ガスケット１５０４は、間隙１８０８の厚さに圧縮されている。解放状態のガスケット１５０４の厚さおよび間隙１８０８を適切な寸法に作ることにより、ガスケット１５０４の十分な圧縮がいつでも得られることが確実になり、それによって組み立て中にガスケットの破損の危険なしに、十分な密閉が確実になる。
【００４２】
図２０、２１は、図１８、１９の実施形態と同様の他の実施形態を図解している。しかし、図１８、１９にすでに示されたのと同様の特徴について、その参照符号は含まれていない。図２０、２１の実施形態では、受け領域２００１は、支持部材１２０１の上に定められる。より広い穴２００２が回路基板１２０６に形成され、回路基板１２０６にカバー１２０８の取り付け時、間隔形成要素１８０６はその穴を通して伸びるように考案されている。この実施形態では、間隔形成要素１８０６は、間隙１８０８より長い距離を突き出す。図２０、２１の具体的に図解された実施形態では、回路基板１２０６は、その裏側を支持部材１２０１の内側表面に面して直接置かれ、その内側表面上に受け領域２００１が配置される。したがって、間隔形成要素１８０６は、壁１５０１の壁終端により規定される平面を超える長さを突き出し、その長さは間隙１８０８の幅に回路基板１２０６の厚さを加えたのに近似する。押し当てたとき、図２１に図解されるように、間隔形成要素１８０６と受け領域２００１との間の機械的停止は、ガスケット１５０４の間隙１８０８までの圧縮される厚さを規定する。
【００４３】
好ましい実施形態では、間隙１８０８は、０．１〜２ｍｍ、通常は１±０．０５ｍｍの範囲の幅を有する。解放された状態では、ガスケット１５０４は、間隙１８０８より大きい厚さを有し、２ｍｍを超えるのが好ましい。ガスケットは１つの分離した要素でもよいが、前述の壁終端に配置された紐状の弾力性のある導電材料で形成されるのが好ましい。
【００４４】
本発明の原理は、実施形態の例または運用モードによりこれまで述べた。しかし、本発明は、上記で検討した特定の実施形態に限定されると解釈されるべきではなく、付属の特許請求の範囲により規定される本発明の範囲から逸脱することなしに、それらの実施形態の変形形態が、当業者により作成される可能性があることは理解されるべきである。
【図面の簡単な説明】
【００４５】
【図１】本発明の実施形態による無線アクセス・ネットワーク（ＲＡＮ）のネットワーク・アーキテクチャの概略図である。
【図２】本発明の実施形態により考案された基地局のモジュール概念の概略図である。
【図３Ａ】、
【図３Ｂ】本発明の実施形態による基地局の支持部の、分解および組み立て状態の概略図である。
【図４】図２により考案された基地局の様々な物理的モジュール部品の概略図である。
【図５】図４により考案された基地局の組み立て状態の概略図である。
【図６】側面から見た図３Ａ、３Ｂの支持部の概略図である。
【図７】側面から見た本発明の実施形態による基地局ユニットの概略図である。
【図８】図６の支持部に図７の基地局ユニットを取り付ける第１の工程を示す概略図である。
【図９】支持部に基地局ユニットを取り付ける第２の工程を示す概略図である。
【図１０】本発明の実施形態による、基地局の機能ブロック概観図である。
【図１１】本発明の実施形態による、基地局のインターフェースの概略図である。
【図１２】本発明の好ましい実施形態による、基地局ユニットの組み立ての概略図である。
【図１３】本発明の好ましい実施形態による、基地局ユニット用の回路基板の概略図である。
【図１４】図１３の回路基板に関する機能レイアウトの概略図である。
【図１５】図１３に図解される回路基板に面して取り付けられるように考案された前面カバーの概略図である。
【図１６】下部から見た、図１２の基地局ユニットを組み立てた状態の概略図である。
【図１７】回路基板部に対するシールドカバーの壁の設計の概略図である。
【図１８】本発明の実施形態による、回路基板上の部品を遮蔽する装置の分解時の側面から見た概略図である。
【図１９】図１８の装置の組み立て時の概略図である。
【図２０】本発明の別の実施形態による、回路基板上の部品を遮蔽する装置の分解時の側面から見た概略図である。
【図２１】図２０の装置の組み立て時の概略図である。
【図１】
2008506252.tif 000003
【図２】
2008506252.tif 000004
【図３Ａ】
2008506252.tif 000005
【図３Ｂ】
2008506252.tif 000006
【図４】
2008506252.tif 000007
【図５】
2008506252.tif 000008
【図６】
2008506252.tif 000009
【図７】
2008506252.tif 000010
【図８】
2008506252.tif 000011
【図９】
2008506252.tif 000012
【図１０】
2008506252.tif 000013
【図１１】
2008506252.tif 000014
【図１２】
2008506252.tif 000015
【図１３】
2008506252.tif 000016
【図１４】
2008506252.tif 000017
【図１５】
2008506252.tif 000018
【図１６】
2008506252.tif 000019
【図１７】
2008506252.tif 000020
【図１８】
2008506252.tif 000021
【図１９】
2008506252.tif 000022
【図２０】
2008506252.tif 000023
【図２１】
2008506252.tif 000024
【国際調査報告】
2008506252.tif 000025
2008506252.tif 000026
2008506252.tif 000027